(57)【要約】【課題】移動通信システムの移動局側の受信装置において、自身が送信した位相差情報を利用することなく、自身が受信した受信信号のみで高品質受信を可能とすること。【解決手段】共通パイロットチャネルおよび個別チャネルを利用したクローズド送信ダイバーシチ通信が行われる通信システムに適用される無線受信装置であって、個別チャネルの受信信号を復調する際の基準位相候補を推定するための事後確率を計算する送信位相事後確率計算回路１８と、取り得る全ての基準位相を仮定して復調を行う復調回路１２と、送信位相事後確率計算回路１８が計算した基準位相ごとの事後確率と基準位相におけるそれぞれの復調結果とに基づいて軟判定情報を生成する軟判定値計算回路１４と、軟判定情報に基づいて受信信号の誤り訂正を行う誤り訂正回路１６を備える。【選択図】        図１
2006319418.tif 000002
【特許請求の範囲】
【請求項１】
共通パイロットチャネルおよび個別チャネルを利用したクローズド送信ダイバーシチ通信が行われる通信システムに適用される無線受信装置であって、
前記個別チャネルの受信信号を復調する際の基準位相候補を推定するための事後確率を計算する事後確率計算手段と、
取り得る全ての基準位相を仮定して復調を行う復調手段と、
前記事後確率計算手段が計算した基準位相ごとの事後確率と該基準位相におけるそれぞれの復調結果とに基づいて軟判定情報を生成する軟判定情報生成手段と、
前記軟判定情報に基づいて受信信号の誤り訂正を行う誤り訂正手段と、
を備えたことを特徴とする無線受信装置。
【請求項２】
前記復調手段の出力が、復調信号の対数尤度比であることを特徴とする請求項１に記載の無線受信装置。
【請求項３】
前記受信信号がＱＰＳＫ信号であり、該ＱＰＳＫ信号を復調する際の基準位相が、前記事後確率計算手段が事後確率を計算する際の処理基準とする共通パイロットチャネル信号の受信位相を基準として、それぞれ４５°、１３５°、２２５°および３１５°であることを特徴とする請求項１または２に記載の無線受信装置。
【請求項４】
前記誤り訂正回路が、畳み込み符号復号器で構成されていることを特徴とする請求項１〜３のいずれか一つに記載の無線受信装置。
【発明の詳細な説明】
【技術分野】
【０００１】
本発明は、移動通信環境下に好適な無線受信装置に関するものである。
【背景技術】
【０００２】
第３世代（３Ｇ）広帯域符号分割／多重アクセス（ＷＣＤＭＡ）システムと呼ばれる通信システムでは、クローズドループおよびフィードバックモード送信器ダイバーシチ（以下「クローズドループ送信ダイバーシチ」という）を使用することが提案されている。このクローズドループ送信ダイバーシチでは、つぎのような処理が行われる。
【０００３】
いま、基地局には２本の送信アンテナ（それぞれアンテナ１およびアンテナ２とする）が備えられるものとする。これら２本のアンテナから送信される信号を携帯情報端末が受信したとき、各アンテナから送信された共通パイロットチャネル（ＣＰＩＣＨ：Ｃｏｍｍｍｏｎ  ＰＩｌｏｔ  ＣＨａｎｎｅｌ）の位相差から、受信された個別チャネル（ＤＰＣＨ：Ｄｅｄｉｃａｔｅｄ  Ｐｉｌｏｔ  ＣＨａｎｎｅｌ）の位相差を推定する。ここに、ＣＰＩＣＨとＤＰＣＨの伝送経路は同一で、かつ、アンテナごとに異なるため、ＣＰＩＣＨの位相差がＤＰＣＨのアンテナ間位相差とみなされる。
【０００４】
つぎに、携帯情報端末は、ＣＰＩＣＨの位相差を符号化して基地局に伝達する。基地局は、携帯情報端末から伝達された位相差情報に基づいて携帯情報端末のアンテナ端におけるＤＰＣＨの受信電力が最大になるように、アンテナ２のＤＰＣＨの位相をＣＰＩＣＨとずらして送信する。
【０００５】
クローズドループ送信ダイバーシチを行うためには、
（１）携帯情報端末がアンテナ間の位相差を精度良く検出すること、
（２）検出されたアンテナ間位相差が正確に基地局に伝達されること、
が肝要である。
しかしながら、伝送経路間の状況により携帯情報端末が送信したアンテナ間位相差情報が基地局に正確に伝わらない場合がある。そうすると、基地局はＤＰＣＨを携帯情報端末の要求と異なる位相で送信し、その結果、携帯情報端末側では位相を正しく認識できずに受信特性が劣化する。
【０００６】
このような基地局における位相差情報受信誤りに起因する携帯情報端末の受信特性の劣化については、アンテナベリフィケーションと呼ばれる対策が施される（例えば、非特許文献１参照）。アンテナベリフィケーションとは、基地局に送信した位相差情報と携帯情報端末の受信信号とに基づいて基地局が行うＤＰＣＨ位相制御が正しく行われているか否かを判定し、もし基地局が位相情報を誤ったと判定した場合に、携帯情報端末内部でＤＰＣＨの位相差が誤って送られたものとして本来のＤＰＣＨの位相を推定して復号処理する機能である。このアンテナベリフィケーションを動作させることにより、上りリンクにおける位相情報の伝搬誤りが原因となる基地局送信ＤＰＣＨの位相変更誤りに起因する携帯情報端末の受信特性劣化が軽減される。
【０００７】
しかしながら、下りリンクの伝送路特性が劣悪な場合においては、上記のアンテナベリフィケーション処理により携帯情報端末がＤＰＣＨの位相制御を正しく行われていないと誤って判定した上で復号処理をしてしまうので、受信特性を劣化させてしまう可能性がある。
【０００８】
一方、下りリンクの伝送路特性が悪い場合であっても上りリンクの伝送路状態が良い場合に、携帯情報端末が送信した位相差情報に基づいて復号処理を行う方法が知られている（例えば、特許文献１参照）。
【０００９】
【特許文献１】特開２００４−１７９９３１号公報
【非特許文献１】３ＧＰＰ仕様ＴＳ２５．２１４：「物理層プロシージャ（ＦＤＤ）」
【発明の開示】
【発明が解決しようとする課題】
【００１０】
上述のように、従来の携帯情報端末は、下りリンクの伝送路状態が悪い場合であっても上りリンクの伝送路状態が良い場合には、携帯情報端末が送信した位相差情報に基づいて復号処理を行うようにしているが、上りリンクの伝送路状態を携帯情報端末側で推定するのは困難であった。
【００１１】
また、上りリンクの伝送路状態が悪い場合には、上りリンクの伝送路状態が悪いにもかかわらず、上りリンクの伝送路状態が良いと誤判定してしまい、携帯情報端末が送信した位相差情報に基づく復号処理が行われる結果、携帯情報端末における受信特性が劣化してしまうといった問題点があった。
【００１２】
さらに、上りリンクの伝送路状態が悪く、かつ、下りリンクの伝送路状態も悪い場合には、アンテナベリフィケーション処理および携帯情報端末が送信した位相差情報に基づく復号処理のどちらを行ったとしても受信特性が劣化してしまうといった問題点があった。
【００１３】
本発明は、上記に鑑みてなされたものであって、自身が送信した位相差情報を利用することなく、自身が受信した受信信号のみで高品質受信を行うことができる無線受信装置を提供することを目的とする。
【課題を解決するための手段】
【００１４】
上述した課題を解決し、目的を達成するため、本発明にかかる無線受信装置は、共通パイロットチャネルおよび個別チャネルを利用したクローズド送信ダイバーシチ通信が行われる通信システムに適用される無線受信装置であって、前記個別チャネルの受信信号を復調する際の基準位相候補を推定するための事後確率を計算する事後確率計算手段と、取り得る全ての基準位相を仮定して復調を行う復調手段と、前記事後確率計算手段が計算した基準位相ごとの事後確率と該基準位相におけるそれぞれの復調結果とに基づいて軟判定情報を生成する軟判定情報生成手段と、前記軟判定情報に基づいて受信信号の誤り訂正を行う誤り訂正手段と、を備えたことを特徴とする。
【発明の効果】
【００１５】
本発明にかかる無線受信装置によれば、個別チャネルの受信信号を復調する際の基準位相候補を推定するための事後確率が計算されるとともに、取り得る全ての基準位相を仮定した復調が行われ、基準位相ごとの事後確率と基準位相におけるそれぞれの復調結果とに基づいて生成された軟判定情報に基づいて受信信号の誤り訂正が行われるので、自身が送信した位相差情報を利用することなく、自身が受信した受信信号のみで高品質受信を行うことができるという効果を奏する。
【発明を実施するための最良の形態】
【００１６】
以下に、本発明にかかる無線受信装置の実施の形態を図面に基づいて詳細に説明する。なお、この実施の形態により本発明が限定されるものではない。
【００１７】
図１は、本発明にかかる無線受信装置の構成を示すブロック図である。同図に示す無線受信装置は、アンテナ１０と、アンテナ１０にそれぞれ接続される第１、第２、第３および第４の復調回路である復調回路１２ａ，１２ｂ，１２ｃおよび１２ｄと、これらの復調回路１２と同様にアンテナ１０に接続される送信位相事後確率計算回路１８と、復調回路１２ａ，１２ｂ，１２ｃおよび１２ｄならびに送信位相事後確率計算回路１８に接続される軟判定値計算回路１４と、軟判定値計算回路１４に接続される誤り訂正回路１６とを備えている。
【００１８】
つぎに、図１に示した無線受信装置の動作について説明する。なお、以下に詳述する内容は、送信信号がＱＰＳＫで変調されている場合を一例として説明するものであり、他の変調方式、例えばＤＰＳＫ、Ｄ８ＰＳＫ（一定時間内に３ビットの情報を伝送する変調方式）、ＱＡＭなどの変調方式においては、当該変調方式に応じた復調方式および軟判定値に基づいて処理をすればよい。
【００１９】
図１において、アンテナ１０は、例えば図示を省略した第１のアンテナおよび第２のアンテナを具備し、伝搬されてきた所定の信号を受信した受信信号を復調回路１２ａ，１２ｂ，１２ｃおよび１２ｄならびに送信位相事後確率計算回路１８にそれぞれ出力する。復調回路１２ａ，１２ｂ，１２ｃおよび１２ｄは、後述する基準位相Ａ，Ｂ，Ｃ，Ｄ（図２参照）に基づいてＱＰＳＫ信号の復調をそれぞれ行って得られる軟判定値（Ｉ，Ｑ）を出力する。送信位相事後確率計算回路１８は、アンテナ１０の図示しない一方のアンテナ（いま「第２のアンテナ」とする）において、基準位相Ａ，Ｂ，Ｃ，Ｄのいずれで送信されたかの事後確率を計算して軟判定値計算回路１４に出力する。軟判定値計算回路１４、復調回路１２ａ，１２ｂ，１２ｃおよび１２ｄからそれぞれ出力された軟判定値（Ｉ，Ｑ）と、送信位相事後確率計算回路１８から出力された事後確率とに基づいて、誤り訂正回路１６に出力する軟判定値（Ｉ’，Ｑ’）（前述の軟判定値計算回路１４が出力する軟判定値と区別するため、以下「軟判定情報」という）を計算して誤り訂正回路１６に出力する。誤り訂正回路は、軟判定値計算回路１４から出力された軟判定情報に基づいて誤り訂正を行い、その結果を出力する。
【００２０】
図２は、復調回路１２の出力（軟判定値）をＩＱ平面上に第１、第２のアンテナの受信ベクトルと基準位相Ａ，Ｂ，Ｃ，Ｄに関係づけて示した図である。同図において、ベクトルＯＥは第１のアンテナのＣＰＩＣＨの受信ベクトルであり、ベクトルＥＦは第２のアンテナのＣＰＩＣＨの受信ベクトルである。なお、復調する際の基準位相は、第２のアンテナの回転が４５°，１３５°，２２５°，３１５°の４通りの可能性があるため第１のアンテナと第２のアンテナとの間の位相差がＥ点の周りを４通りに回転させたＡ，Ｂ，Ｃ，Ｄの４点が基準位相の位相ベクトル候補となる。なお、事後確率の計算は、第２のアンテナのＣＰＩＣＨを基準として受信したＤＰＣＨのパイロット信号から求めることができる。なお、復調する際の基準位相は、上述のような４５°，１３５°，２２５°，３１５である必要はなく、例えば０°，９０°，１８０°，２７０°などを選んでもよい。
【００２１】
一方、図３は、第２のアンテナで受信されたＤＰＣＨのパイロット信号の受信ベクトルＥＧの一例を示す図である。同図において、Ｇ点の座標である（ｘ，ｙ）は、第２のアンテナのＣＰＩＣＨ（ベクトルＥＦ）を基準とした第２のアンテナのＤＰＣＨのパイロット信号の受信ベクトルＥＧのＩ’軸成分、Ｑ’軸成分を示している。
【００２２】
いま、第２のアンテナで受信されたＤＰＣＨのパイロット信号が分散Ｎおよび平均振幅√(２ｓ2)を有するガウス分布と仮定し、図２に示した基準位相を表すＡ点、Ｂ点、Ｃ点、Ｄ点における送信位相事後確率をＰA，ＰB，ＰCおよびＰDとすれば、次式で表せる。
【００２３】
ＰA＝(ａ・ｃ)／[(ａ＋ｂ)・(ｃ＋ｄ)]                    ・・・（１）
ＰB＝(ｂ・ｃ)／[(ａ＋ｂ)・(ｃ＋ｄ)]                    ・・・（２）
ＰC＝(ｂ・ｄ)／[(ａ＋ｂ)・(ｃ＋ｄ)]                    ・・・（３）
ＰD＝(ａ・ｄ)／[(ａ＋ｂ)・(ｃ＋ｄ)]                    ・・・（４）
【００２４】
ただし、（１）式〜（４）式における、ａ，ｂ，ｃおよびｄは、それぞれ次式で表される。
ａ＝ｅｘｐ(２ｘｓ／Ｎ）                                ・・・（５）
ｂ＝ｅｘｐ(−２ｘｓ／Ｎ）                              ・・・（６）
ｃ＝ｅｘｐ(２ｙｓ／Ｎ）                                ・・・（７）
ｄ＝ｅｘｐ(−２ｙｓ／Ｎ）                              ・・・（８）
【００２５】
なお、軟判定値計算回路１４において、復調回路１２ａ，１２ｂ，１２ｃおよび１２ｄのそれぞれの復調出力が対数尤度比として出力されるものとする。この場合、それぞれの出力を（Ｘ１，Ｙ１），（Ｘ２，Ｙ２），（Ｘ３，Ｙ３）および（Ｘ４，Ｙ４）とすれば、これらの出力と送信位相事後確率計算回路１８からの送信位相事後確率であるＰA，ＰB，ＰCおよびＰDに基づいて、誤り訂正回路１６に出力する軟判定情報を、次式を用いて計算することができる。なお、これ以後の説明は、第２の判定値についての説明に終始するため、軟判定情報（Ｉ’，Ｑ’）を単に（Ｉ，Ｑ）として表記する。
【００２６】
Ｉ＝ｌｏｇ[ｅｘｐ(Ｉｅ１)＋ｅｘｐ(Ｉｅ２)＋ｅｘｐ(Ｉｅ３)＋ｅｘｐ(Ｉｅ４)＋ｅｘｐ(Ｉｅ５)＋ｅｘｐ(Ｉｅ６)＋ｅｘｐ(Ｉｅ７)＋ｅｘｐ(Ｉｅ８)＋ｅｘｐ(Ｉｅ９)＋ｅｘｐ(Ｉｅ１０)＋ｅｘｐ(Ｉｅ１１)＋ｅｘｐ(Ｉｅ１２)＋ｅｘｐ(Ｉｅ１３)＋ｅｘｐ(Ｉｅ１４)＋ｅｘｐ(Ｉｅ１５)＋ｅｘｐ(Ｉｅ１６)＋ｅｘｐ(Ｉｅ１７)＋ｅｘｐ(Ｉｅ１８)＋ｅｘｐ(Ｉｅ１９)＋ｅｘｐ(Ｉｅ２０)＋ｅｘｐ(Ｉｅ２１)＋ｅｘｐ(Ｉｅ２２)＋ｅｘｐ(Ｉｅ２３)＋ｅｘｐ(Ｉｅ２４)＋ｅｘｐ(Ｉｅ２５)＋ｅｘｐ(Ｉｅ２６)＋ｅｘｐ(Ｉｅ２７)＋ｅｘｐ(Ｉｅ２８)＋ｅｘｐ(Ｉｅ２９)]
−ｌｏｇ[ｅｘｐ(Ｉｅ３０)＋ｅｘｐ(Ｉｅ３１)＋ｅｘｐ(Ｉｅ３２)＋ｅｘｐ(Ｉｅ３３)＋ｅｘｐ(Ｉｅ３４)＋ｅｘｐ(Ｉｅ３５)＋ｅｘｐ(Ｉｅ３６)＋ｅｘｐ(Ｉｅ３７)＋ｅｘｐ(Ｉｅ３８)＋ｅｘｐ(Ｉｅ３９)＋ｅｘｐ(Ｉｅ４０)＋ｅｘｐ(Ｉｅ４１)＋ｅｘｐ(Ｉｅ４２)＋ｅｘｐ(Ｉｅ４３)＋ｅｘｐ(Ｉｅ４４)＋ｅｘｐ(Ｉｅ４５)＋ｅｘｐ(Ｉｅ４６)＋ｅｘｐ(Ｉｅ４７)＋ｅｘｐ(Ｉｅ４８)＋ｅｘｐ(Ｉｅ４９)＋ｅｘｐ(Ｉｅ５０)＋ｅｘｐ(Ｉｅ５１)＋ｅｘｐ(Ｉｅ５２)＋ｅｘｐ(Ｉｅ５３)＋ｅｘｐ(Ｉｅ５４)＋ｅｘｐ(Ｉｅ５５)＋ｅｘｐ(Ｉｅ５６)＋ｅｘｐ(Ｉｅ５７)＋ｅｘｐ(Ｉｅ５８)＋ｅｘｐ(Ｉｅ５９)＋ｅｘｐ(Ｉｅ６０)＋ｅｘｐ(Ｉｅ６１)]                            ・・・（９）
【００２７】
Ｑ＝ｌｏｇ[ｅｘｐ(Ｑｅ１)＋ｅｘｐ(Ｑｅ２)＋ｅｘｐ(Ｑｅ３)＋ｅｘｐ(Ｑｅ４)＋ｅｘｐ(Ｑｅ５)＋ｅｘｐ(Ｑｅ６)＋ｅｘｐ(Ｑｅ７)＋ｅｘｐ(Ｑｅ８)＋ｅｘｐ(Ｑｅ９)＋ｅｘｐ(Ｑｅ１０)＋ｅｘｐ(Ｑｅ１１)＋ｅｘｐ(Ｑｅ１２)＋ｅｘｐ(Ｑｅ１３)＋ｅｘｐ(Ｑｅ１４)＋ｅｘｐ(Ｑｅ１５)＋ｅｘｐ(Ｑｅ１６)＋ｅｘｐ(Ｑｅ１７)＋ｅｘｐ(Ｑｅ１８)＋ｅｘｐ(Ｑｅ１９)＋ｅｘｐ(Ｑｅ２０)＋ｅｘｐ(Ｑｅ２１)＋ｅｘｐ(Ｑｅ２２)＋ｅｘｐ(Ｑｅ２３)＋ｅｘｐ(Ｑｅ２４)＋ｅｘｐ(Ｑｅ２５)＋ｅｘｐ(Ｑｅ２６)＋ｅｘｐ(Ｑｅ２７)＋ｅｘｐ(Ｑｅ２８)＋ｅｘｐ(Ｑｅ２９)]
−ｌｏｇ[ｅｘｐ(Ｑｅ３０)＋ｅｘｐ(Ｑｅ３１)＋ｅｘｐ(Ｑｅ３２)＋ｅｘｐ(Ｑｅ３３)＋ｅｘｐ(Ｑｅ３４)＋ｅｘｐ(Ｑｅ３５)＋ｅｘｐ(Ｑｅ３６)＋ｅｘｐ(Ｑｅ３７)＋ｅｘｐ(Ｑｅ３８)＋ｅｘｐ(Ｑｅ３９)＋ｅｘｐ(Ｑｅ４０)＋ｅｘｐ(Ｑｅ４１)＋ｅｘｐ(Ｑｅ４２)＋ｅｘｐ(Ｑｅ４３)＋ｅｘｐ(Ｑｅ４４)＋ｅｘｐ(Ｑｅ４５)＋ｅｘｐ(Ｑｅ４６)＋ｅｘｐ(Ｑｅ４７)＋ｅｘｐ(Ｑｅ４８)＋ｅｘｐ(Ｑｅ４９)＋ｅｘｐ(Ｑｅ５０)＋ｅｘｐ(Ｑｅ５１)＋ｅｘｐ(Ｑｅ５２)＋ｅｘｐ(Ｑｅ５３)＋ｅｘｐ(Ｑｅ５４)＋ｅｘｐ(Ｑｅ５５)＋ｅｘｐ(Ｑｅ５６)＋ｅｘｐ(Ｑｅ５７)＋ｅｘｐ(Ｑｅ５８)＋ｅｘｐ(Ｑｅ５９)＋ｅｘｐ(Ｑｅ６０)＋ｅｘｐ(Ｑｅ６１)]                            ・・・（１０）
【００２８】
ここで、（９）式におけるｐ１〜ｐ４はそれぞれ次式で表される。
ｐ１＝ｌｏｇ(ＰA）                                      ・・・（１１）
ｐ２＝ｌｏｇ(ＰB）                                      ・・・（１２）
ｐ３＝ｌｏｇ(ＰC）                                      ・・・（１３）
ｐ４＝ｌｏｇ(ＰD）                                      ・・・（１４）
【００２９】
また、（９）式におけるＩｅ１〜Ｉｅ６１はそれぞれ次式で表される。
Ｉｅ１＝Ｘ４＋Ｘ３＋Ｘ２＋Ｘ１
Ｉｅ２＝Ｘ４＋Ｘ３＋Ｘ２＋ｐ４
Ｉｅ３＝Ｘ４＋Ｘ３＋Ｘ２＋ｐ３
Ｉｅ４＝Ｘ４＋Ｘ３＋Ｘ２＋ｐ２
Ｉｅ５＝Ｘ４＋Ｘ３＋Ｘ１＋ｐ４
Ｉｅ６＝Ｘ４＋Ｘ３＋Ｘ１＋ｐ３
Ｉｅ７＝Ｘ４＋Ｘ３＋Ｘ１＋ｐ１
Ｉｅ８＝Ｘ４＋Ｘ２＋Ｘ１＋ｐ４
Ｉｅ９＝Ｘ４＋Ｘ２＋Ｘ１＋ｐ２
Ｉｅ１０＝Ｘ４＋Ｘ２＋Ｘ１＋ｐ１
Ｉｅ１１＝Ｘ３＋Ｘ２＋Ｘ１＋ｐ３
Ｉｅ１２＝Ｘ３＋Ｘ２＋Ｘ１＋ｐ２
Ｉｅ１３＝Ｘ３＋Ｘ２＋Ｘ１＋ｐ１
Ｉｅ１４＝Ｘ４＋Ｘ３＋ｐ４
Ｉｅ１５＝Ｘ４＋Ｘ３＋ｐ３
Ｉｅ１６＝Ｘ４＋Ｘ２＋ｐ４
Ｉｅ１７＝Ｘ４＋Ｘ２＋ｐ２
Ｉｅ１８＝Ｘ４＋Ｘ１＋ｐ４
Ｉｅ１９＝Ｘ４＋Ｘ１＋ｐ１
Ｉｅ２０＝Ｘ３＋Ｘ２＋ｐ３
Ｉｅ２１＝Ｘ３＋Ｘ２＋ｐ２
Ｉｅ２２＝Ｘ３＋Ｘ１＋ｐ３
Ｉｅ２３＝Ｘ３＋Ｘ１＋ｐ１
Ｉｅ２４＝Ｘ２＋Ｘ１＋ｐ２
Ｉｅ２５＝Ｘ２＋Ｘ１＋ｐ１
Ｉｅ２６＝Ｘ４＋ｐ４
Ｉｅ２７＝Ｘ３＋ｐ３
Ｉｅ２８＝Ｘ２＋ｐ２
Ｉｅ２９＝Ｘ１＋ｐ１
Ｉｅ３０＝Ｘ４＋Ｘ３＋Ｘ２＋ｐ１
Ｉｅ３１＝Ｘ４＋Ｘ３＋Ｘ１＋ｐ２
Ｉｅ３２＝Ｘ４＋Ｘ２＋Ｘ１＋ｐ３
Ｉｅ３３＝Ｘ３＋Ｘ２＋Ｘ１＋ｐ４
Ｉｅ３４＝Ｘ４＋Ｘ３＋ｐ２
Ｉｅ３５＝Ｘ４＋Ｘ３＋ｐ１
Ｉｅ３６＝Ｘ４＋Ｘ２＋ｐ３
Ｉｅ３７＝Ｘ４＋Ｘ２＋ｐ１
Ｉｅ３８＝Ｘ４＋Ｘ１＋ｐ３
Ｉｅ３９＝Ｘ４＋Ｘ１＋ｐ２
Ｉｅ４０＝Ｘ３＋Ｘ２＋ｐ４
Ｉｅ４１＝Ｘ３＋Ｘ２＋ｐ１
Ｉｅ４２＝Ｘ３＋Ｘ１＋ｐ４
Ｉｅ４３＝Ｘ３＋Ｘ１＋ｐ２
Ｉｅ４４＝Ｘ２＋Ｘ１＋ｐ４
Ｉｅ４５＝Ｘ２＋Ｘ１＋ｐ３
Ｉｅ４６＝Ｘ４＋ｐ３
Ｉｅ４７＝Ｘ４＋ｐ２
Ｉｅ４８＝Ｘ４＋ｐ１
Ｉｅ４９＝Ｘ３＋ｐ４
Ｉｅ５０＝Ｘ３＋ｐ２
Ｉｅ５１＝Ｘ３＋ｐ１
Ｉｅ５２＝Ｘ２＋ｐ４
Ｉｅ５３＝Ｘ２＋ｐ３
Ｉｅ５４＝Ｘ２＋ｐ１
Ｉｅ５５＝Ｘ１＋ｐ４
Ｉｅ５６＝Ｘ１＋ｐ３
Ｉｅ５７＝Ｘ１＋ｐ２
Ｉｅ５８＝ｐ１
Ｉｅ５９＝ｐ２
Ｉｅ６０＝ｐ３
Ｉｅ６１＝ｐ４
【００３０】
同様に、（１０）式におけるＱｅ１〜Ｑｅ６１はそれぞれ次式で表される。
Ｑｅ１＝Ｘ４＋Ｘ３＋Ｘ２＋Ｘ１
Ｑｅ２＝Ｘ４＋Ｘ３＋Ｘ２＋ｐ４
Ｑｅ３＝Ｘ４＋Ｘ３＋Ｘ２＋ｐ３
Ｑｅ４＝Ｘ４＋Ｘ３＋Ｘ２＋ｐ２
Ｑｅ５＝Ｘ４＋Ｘ３＋Ｘ１＋ｐ４
Ｑｅ６＝Ｘ４＋Ｘ３＋Ｘ１＋ｐ３
Ｑｅ７＝Ｘ４＋Ｘ３＋Ｘ１＋ｐ１
Ｑｅ８＝Ｘ４＋Ｘ２＋Ｘ１＋ｐ４
Ｑｅ９＝Ｘ４＋Ｘ２＋Ｘ１＋ｐ２
Ｑｅ１０＝Ｘ４＋Ｘ２＋Ｘ１＋ｐ１
Ｑｅ１１＝Ｘ３＋Ｘ２＋Ｘ１＋ｐ３
Ｑｅ１２＝Ｘ３＋Ｘ２＋Ｘ１＋ｐ２
Ｑｅ１３＝Ｘ３＋Ｘ２＋Ｘ１＋ｐ１
Ｑｅ１４＝Ｘ４＋Ｘ３＋ｐ４
Ｑｅ１５＝Ｘ４＋Ｘ３＋ｐ３
Ｑｅ１６＝Ｘ４＋Ｘ２＋ｐ４
Ｑｅ１７＝Ｘ４＋Ｘ２＋ｐ２
Ｑｅ１８＝Ｘ４＋Ｘ１＋ｐ４
Ｑｅ１９＝Ｘ４＋Ｘ１＋ｐ１
Ｑｅ２０＝Ｘ３＋Ｘ２＋ｐ３
Ｑｅ２１＝Ｘ３＋Ｘ２＋ｐ２
Ｑｅ２２＝Ｘ３＋Ｘ１＋ｐ３
Ｑｅ２３＝Ｘ３＋Ｘ１＋ｐ１
Ｑｅ２４＝Ｘ２＋Ｘ１＋ｐ２
Ｑｅ２５＝Ｘ２＋Ｘ１＋ｐ１
Ｑｅ２６＝Ｘ４＋ｐ４
Ｑｅ２７＝Ｘ３＋ｐ３
Ｑｅ２８＝Ｘ２＋ｐ２
Ｑｅ２９＝Ｘ１＋ｐ１
Ｑｅ３０＝Ｘ４＋Ｘ３＋Ｘ２＋ｐ１
Ｑｅ３１＝Ｘ４＋Ｘ３＋Ｘ１＋ｐ２
Ｑｅ３２＝Ｘ４＋Ｘ２＋Ｘ１＋ｐ３
Ｑｅ３３＝Ｘ３＋Ｘ２＋Ｘ１＋ｐ４
Ｑｅ３４＝Ｘ４＋Ｘ３＋ｐ２
Ｑｅ３５＝Ｘ４＋Ｘ３＋ｐ１
Ｑｅ３６＝Ｘ４＋Ｘ２＋ｐ３
Ｑｅ３７＝Ｘ４＋Ｘ２＋ｐ１
Ｑｅ３８＝Ｘ４＋Ｘ１＋ｐ３
Ｑｅ３９＝Ｘ４＋Ｘ１＋ｐ２
Ｑｅ４０＝Ｘ３＋Ｘ２＋ｐ４
Ｑｅ４１＝Ｘ３＋Ｘ２＋ｐ１
Ｑｅ４２＝Ｘ３＋Ｘ１＋ｐ４
Ｑｅ４３＝Ｘ３＋Ｘ１＋ｐ２
Ｑｅ４４＝Ｘ２＋Ｘ１＋ｐ４
Ｑｅ４５＝Ｘ２＋Ｘ１＋ｐ３
Ｑｅ４６＝Ｘ４＋ｐ３
Ｑｅ４７＝Ｘ４＋ｐ２
Ｑｅ４８＝Ｘ４＋ｐ１
Ｑｅ４９＝Ｘ３＋ｐ４
Ｑｅ５０＝Ｘ３＋ｐ２
Ｑｅ５１＝Ｘ３＋ｐ１
Ｑｅ５２＝Ｘ２＋ｐ４
Ｑｅ５３＝Ｘ２＋ｐ３
Ｑｅ５４＝Ｘ２＋ｐ１
Ｑｅ５５＝Ｘ１＋ｐ４
Ｑｅ５６＝Ｘ１＋ｐ３
Ｑｅ５７＝Ｘ１＋ｐ２
Ｑｅ５８＝ｐ１
Ｑｅ５９＝ｐ２
Ｑｅ６０＝ｐ３
Ｑｅ６１＝ｐ４
【００３１】
ここで最大値を求めるｍａｘ関数を用いて、（９）式および（１０）式に示されるＩ、Ｑは、次式のように近似することができる。
【００３２】
Ｉ≒ｍａｘ（Ｉｅ１，Ｉｅ２，Ｉｅ３，Ｉｅ４，Ｉｅ５，Ｉｅ６，Ｉｅ７，Ｉｅ８，Ｉｅ９，Ｉｅ１０，Ｉｅ１１，Ｉｅ１２，Ｉｅ１３，Ｉｅ１４，Ｉｅ１５，Ｉｅ１６，Ｉｅ１７，Ｉｅ１８，Ｉｅ１９，Ｉｅ２０，Ｉｅ２１，Ｉｅ２２，Ｉｅ２３，Ｉｅ２４，Ｉｅ２５，Ｉｅ２６，Ｉｅ２７，Ｉｅ２８，Ｉｅ２９）
−ｍａｘ（Ｉｅ３０，Ｉｅ３１，Ｉｅ３２，Ｉｅ３３，Ｉｅ３４，Ｉｅ３５，Ｉｅ３６，Ｉｅ３７，Ｉｅ３８，Ｉｅ３９，Ｉｅ４０，Ｉｅ４１，Ｉｅ４２，Ｉｅ４３，Ｉｅ４４，Ｉｅ４５，Ｉｅ４６，Ｉｅ４７，Ｉｅ４８，Ｉｅ４９，Ｉｅ５０，Ｉｅ５１，Ｉｅ５２，Ｉｅ５３，Ｉｅ５４，Ｉｅ５５，Ｉｅ５６，Ｉｅ５７，Ｉｅ５８，Ｉｅ５９，Ｉｅ６０，Ｉｅ６１）                                              ・・・（１５）
【００３３】
Ｑ≒ｍａｘ（Ｑｅ１，Ｑｅ２，Ｑｅ３，Ｑｅ４，Ｑｅ５，Ｑｅ６，Ｑｅ７，Ｑｅ８，Ｑｅ９，Ｑｅ１０，Ｑｅ１１，Ｑｅ１２，Ｑｅ１３，Ｑｅ１４，Ｑｅ１５，Ｑｅ１６，Ｑｅ１７，Ｑｅ１８，Ｑｅ１９，Ｑｅ２０，Ｑｅ２１，Ｑｅ２２，Ｑｅ２３，Ｑｅ２４，Ｑｅ２５，Ｑｅ２６，Ｑｅ２７，Ｑｅ２８，Ｑｅ２９）
−ｍａｘ（Ｑｅ３０，Ｑｅ３１，Ｑｅ３２，Ｑｅ３３，Ｑｅ３４，Ｑｅ３５，Ｑｅ３６，Ｑｅ３７，Ｑｅ３８，Ｑｅ３９，Ｑｅ４０，Ｑｅ４１，Ｑｅ４２，Ｑｅ４３，Ｑｅ４４，Ｑｅ４５，Ｑｅ４６，Ｑｅ４７，Ｑｅ４８，Ｑｅ４９，Ｑｅ５０，Ｑｅ５１，Ｑｅ５２，Ｑｅ５３，Ｑｅ５４，Ｑｅ５５，Ｑｅ５６，Ｑｅ５７，Ｑｅ５８，Ｑｅ５９，Ｑｅ６０，Ｑｅ６１）                                              ・・・（１６）
【００３４】
上記のような（１５）式および（１６）式にて得られた軟判定値を誤り訂正回路１６にて誤り訂正を行うことで復号データを得ることができる。なお、誤り訂正回路１６としては、送信信号に適用されている種々の誤り訂正符号（例えばターボ符号やビタビ符号など）に応じてターボ復号回路やビタビ復号回路などの畳み込み符号復号回路を用いることができる。
【００３５】
このように、全通りの復調結果から軟判定値を計算するとともに、計算された軟判定値に基づいた誤り訂正を行うことで、アンテナベリフィケーションによる劣化や、携帯情報端末が送信した位相差情報の上り回線の回線品質に殆ど影響されずに高精度な復調が可能となる。
【００３６】
ところで、この実施の形態における軟判定値計算回路１４や、誤り訂正回路１６などはディジタル処理回路として構成するのが一般的であるが、ディジタル処理回路などの構成に代えてＣＰＵなどの演算プロセッサを用いて計算してもよい。なお、この実施の形態では、誤り訂正回路１６に出力する軟判定値（Ｉ，Ｑ）を、（９）式および（１０）式に基づいて復調回路１２ａ，１２ｂ，１２ｃおよび１２ｄのそれぞれの復調出力である（Ｘ１，Ｙ１），（Ｘ２，Ｙ２），（Ｘ３，Ｙ３），（Ｘ４，Ｙ４）および送信位相事後確率計算回路１８の出力値である（１１）式〜（１４）式に示される（ｐ１，ｐ２，ｐ３，ｐ４）のすべての値を用いて計算するようにしているが、例えば、ＣＰＵなどの演算プロセッサを用いる場合には、必ずしも全ての値を用いて計算する必要はない。例えば、（９）式におけるＩｅ１＝Ｘ４＋Ｘ３＋Ｘ２＋Ｘ１を計算する際に、例えば復調回路１２ｄのＩ出力であるＸ４が、他の復調回路のＩ出力であるＸ３，Ｘ２，Ｘ１に比較して大きく、これらの出力を無視しても計算精度に与える影響がない程度の値であれば、Ｘ４のみの値を用いて計算してもよい。すなわち、Ｉｅ１≒Ｘ４と近似することができる。また、Ｉｅ１以外の他の要素であるＩｅ２〜Ｉｅ６１および復調出力のＱ出力であるＱｅ１〜Ｑｅ６１についても同様である。
【００３７】
また、この実施の形態では、ＱＰＳＫ信号を復調する際の基準位相ごとに復調するために、復調回路１２ａ，１２ｂ，１２ｃおよび１２ｄの４つの復調回路を備えるように構成しているが、Ｄ８ＰＳＫ信号や、ＱＡＭ変調信号を復調する場合であって、本実施の形態と同等の処理を行う場合には、本実施の形態と同様に復調する際の基準位相ごとに復調器を設けるようにすればよい。一方、復調する際の基準位相ごとに復調器を設ける必要はなく、復調回路に入力される信号を一旦取り込んだ後に復調してもよく、このような手法であれば、１以上の復調器があればよい。
【００３８】
以上説明したように、この実施の形態の無線受信装置によれば、個別チャネルの受信信号を復調する際の基準位相候補を推定するための事後確率を計算し、取り得る全ての基準位相を仮定した復調を行い、基準位相ごとの事後確率と基準位相におけるそれぞれの復調結果とに基づいて生成した軟判定情報に基づいて受信信号の誤り訂正を行うようにしているので、自身が送信した位相差情報を利用することなく、自身が受信した受信信号のみで高品質受信を行うことができる。
【産業上の利用可能性】
【００３９】
以上のように、本発明にかかる無線受信装置は、移動通信環境下に適用される無線受信装置として有用であり、特に、クローズド送信ダイバーシチ通信が行われる通信システムに適用されて受信特性の低下を抑制することができる移動局側の無線受信装置として好適である。
【図面の簡単な説明】
【００４０】
【図１】本発明にかかる無線受信装置の構成を示すブロック図である。
【図２】復調回路１２の出力（軟判定値）をＩＱ平面上に第１、第２のアンテナの受信ベクトルと基準位相Ａ，Ｂ，Ｃ，Ｄに関係づけて示した図である。
【図３】ＤＰＣＨのパイロット信号の受信ベクトルＥＧの一例を示す図である。
【符号の説明】
【００４１】
１０  アンテナ
１２ａ，１２ｂ，１２ｃ，１２ｄ  復調回路
１４  軟判定値計算回路
１６  誤り訂正回路
１８  送信位相事後確率計算回路
【図１】
2006319418.tif 000003
【図２】
2006319418.tif 000004
【図３】
2006319418.tif 000005